(57)【要約】【課題】蓋体開閉装置を意匠性と操作性の双方に優れたものにすること。【解決手段】蓋体７０が、閉蓋位置と開蓋位置に加えて、閉蓋途中位置を取ることができるように、開蓋位置では、蓋体全体を化粧パネルによる意匠面より内側に仕舞い込んで、フラットサーフェース化し、閉蓋途中位置では、蓋体７０が化粧パネルより突出露呈することにより、その突出露呈部をもって蓋体７０の閉じ操作を行う。【選択図】図５
2008254582.tif 000002
【特許請求の範囲】
【請求項１】
一つの中心軸線周りの回転により閉蓋位置と開蓋位置を取る回動型の蓋体の開閉装置であって、
前記蓋体を開蓋方向に付勢する蓋開きばね手段と、
前記蓋体を前記蓋開きばね手段のばね力に抗して閉蓋位置に解除可能に係止する第一のラッチ装置と、
前記蓋体の回転軸線と平行な中心軸線周りに回動可能に取り付けられたホップアップ動作部材と、
前記ホップアップ動作部材を前記蓋体の閉蓋方向と同じ方向に付勢するホップアップ動作ばね手段と、
前記ホップアップ動作部材を前記ホップアップ動作ばね手段のばね力に抗して所定のホーム位置に解除可能に係止する第二のラッチ装置と、
前記ホップアップ動作部材は、前記開蓋位置にある前記蓋体と係合して前記第二のラッチ装置の係止解除によって前記ホップアップ動作ばね手段のばね力によって前記蓋体の閉蓋方向と同じ方向に回動して前記蓋体を閉蓋途中位置まで移動させ、前記蓋体が手操作によって蓋開きばね手段のばね力に抗して閉蓋位置に戻されることにより、前記ホップアップ動作ばね手段のばね力に抗して前記ホーム位置に戻ることを特徴とする蓋体開閉装置。
【請求項２】
前記第一のラッチ装置と前記第二のラッチ装置は、各々、プッシュロック・プッシュオープン動作のオルタネイト式ラッチ機構により構成されており、前記蓋体が押されることによりプッシュ操作されることを特徴とする請求項１記載の蓋体開閉装置。
【請求項３】
前記蓋体は、左右両側にアーム部を一体に有し、前記アーム部をもって、上部開口の箱状の容器本体の左右両側壁に水平軸線周りに回転可能に取り付けられ、前記容器本体の上方位置での水平姿勢で前記容器本体の前記上部開口を閉じる閉蓋位置と、当該閉蓋位置より略９０度回動変位して前記容器の後側位置での垂直姿勢による開蓋位置との間に回動可能であり、
前記容器本体の後壁側の上面が前記蓋体の開閉移動に干渉しないよう傾斜しており、前記容器本体の上面はこの部分を除いて略水平面になっており、
前記蓋体には上面補完フラッパが回動可能に取り付けられており、前記上面補完フラッパは、前記蓋体が前記開蓋位置にある時に、略水平姿勢になって前記容器本体の略水平な上面に連続する水平上面を呈するよう構成されていることを特徴とする請求項１または２に記載の蓋体開閉装置。
【請求項４】
前記蓋体は、左右両側にアーム部を一体に有し、前記アーム部をもって、底部と左右両側壁と前壁とを有する上部開口の容器本体の前記左右両側壁に水平軸線周りに回転可能に取り付けられ、前記容器本体の上方位置での水平姿勢で前記容器本体の上部開口を閉じる閉蓋位置と、当該閉蓋位置より略９０度回動変位して前記容器本体の後側位置での垂直姿勢による開蓋位置との間に回動可能であり、開蓋位置において前記容器本体の後壁を補完することを特徴とする請求項１または２に記載の蓋体開閉装置。
【発明の詳細な説明】
【技術分野】
【０００１】
この発明は、蓋体開閉装置に関し、特に、本発明は、蓋体装置に関し、特に、自動車のセンタコンソールに埋込設置されるカップホルダや小物入れ等の蓋体（リッド）の手動式の開閉装置に関するものである。
【背景技術】
【０００２】
一般に、自動車のセンタコンソールに埋込設置されるカップホルダや小物入れ等の蓋体は、蓋体の左右両側に一体に設けられたアームをもって、上部開口の箱状の容器本体の左右両側壁に水平軸線周りに回転可能に取り付けられ、容器本体の上方位置での水平姿勢で、容器本体の上部開口を閉じ、この閉じ位置より略９０度回動変位して垂直姿勢になることにより、容器本体の上部開口より離れて上部開口を開く構造になっている（例えば、特許文献１、２）。
【０００３】
上述の回動開閉式の蓋体は、垂直姿勢による開蓋状態で、邪魔にならないよう、また、意匠的な観点から、その全体が、センタコンソールの意匠面より内側に仕舞い込まれ、蓋体が意匠面より上方に突出しないフラットサーフェース化を望まれる。
【０００４】
このことに対して、リンク機構を用いて蓋体の全体を容器内（ホルダ本体内）に仕舞い込むように構成されたものがある（例えば、特許文献３）。
【特許文献１】実開平７−３７８１２号公報
【特許文献２】特開２００５−１７８５９３号公報
【特許文献３】特開２００６−１５７９１号公報
【発明の開示】
【発明が解決しようとする課題】
【０００５】
リンク機構を用いて蓋体の全体を容器内に仕舞い込むものは、開蓋状態では、蓋体が意匠面より上方に突出せず、意匠性に優れ、開けられた蓋体が邪魔になることがないが、開蓋状態の蓋体を指先で直接掴んで、蓋体を操作することが難しくなる。このため、蓋体の開閉を操作する機構を、別途、設けなくてはならず、構造が複雑になる。
【０００６】
回動型のもので、従来のものは、開蓋の蓋体が意匠面より上方に突出しないように構成することもできるが、蓋体が意匠面より上方に突出しないように仕舞い込むと、蓋体を直接指先で掴むことができなくなり、開蓋状態より蓋閉じ操作が難しものになる。このため、従来の蓋体開閉装置では、意匠性と操作性の両立を図ることが難しい。
【０００７】
本発明が解決しようとする課題は、センタコンソールに埋込設置される蓋付きのカップホルダ等の蓋体開閉装置を、意匠性と操作性の双方に優れたものとに、しかも、見栄えよく趣向性に富んだものにすることである。
【課題を解決するための手段】
【０００８】
この発明による蓋体開閉装置は、一つの軸線周りの回転により閉蓋位置と開蓋位置を取る回動型の蓋体の開閉装置であって、一つの中心軸線周りの回転により閉蓋位置と開蓋位置を取る回動型の蓋体の開閉装置であって、前記蓋体を開蓋方向に付勢する蓋開きばね手段と、前記蓋体を前記蓋開きばね手段のばね力に抗して閉蓋位置に解除可能に係止する第一のラッチ装置と、前記蓋体の回転軸線と平行な中心軸線周りに回動可能に取り付けられたホップアップ動作部材と、前記ホップアップ動作部材を前記蓋体の閉蓋方向と同じ方向に付勢するホップアップ動作ばね手段と、前記ホップアップ動作部材を前記ホップアップ動作ばね手段のばね力に抗して所定のホーム位置に解除可能に係止する第二のラッチ装置と、前記ホップアップ動作部材は、前記開蓋位置にある前記蓋体と係合して前記第二のラッチ装置の係止解除によって前記ホップアップ動作ばね手段のばね力によって前記蓋体の閉蓋方向と同じ方向に回動して前記蓋体を閉蓋途中位置まで移動させ、前記蓋体が手操作によって蓋開きばね手段のばね力に抗して閉蓋位置に戻されることにより、前記ホップアップ動作ばね手段のばね力に抗して前記ホーム位置に戻ることを特徴としている。
【０００９】
この発明による蓋体開閉装置は、好ましくは、前記第一のラッチ装置と前記第二のラッチ装置は、各々、プッシュロック・プッシュオープン動作のオルタネイト式ラッチ機構により構成されており、前記蓋体が押されることによりプッシュ操作されることを特徴としている。
【００１０】
この発明による蓋体開閉装置は、好ましくは、前記蓋体は、左右両側にアーム部を一体に有し、前記アームをもって、上部開口の箱状の容器本体の左右両側壁に水平軸線周りに回転可能に取り付けられ、前記容器本体の上方位置での水平姿勢で前記容器本体の前記上部開口を閉じる閉蓋位置と、当該閉蓋位置より略９０度回動変位して前記容器の後側位置での垂直姿勢による開蓋位置との間に回動可能であり、前記容器本体の後壁側の上面が前記蓋体の開閉移動に干渉しないよう傾斜しており、前記容器本体の上面はこの部分を除いて略水平面になっており、前記蓋体には上面補完フラッパが回動可能に取り付けられており、前記上面補完フラッパは、前記蓋体が前記開蓋位置にある時に、略水平姿勢になって前記容器本体の略水平な上面に連続する水平上面を呈するよう構成されていることを特徴としている。
【００１１】
この発明による蓋体開閉装置は、好ましくは、前記蓋体は、左右両側にアーム部を一体に有し、前記アームをもって、底部と左右両側壁と前壁とを有する上部開口の容器本体の前記左右両側壁に水平軸線周りに回転可能に取り付けられ、前記容器本体の上方位置での水平姿勢で前記容器本体の上部開口を閉じる閉蓋位置と、当該閉蓋位置より略９０度回動変位して前記容器本体の後側位置での垂直姿勢による開蓋位置との間に回動可能であり、開蓋位置において前記容器本体の後壁を補完することを特徴としている。
【発明の効果】
【００１２】
この発明による蓋体開閉装置は、蓋体が、閉蓋位置と開蓋位置に加えて、閉蓋途中位置を取ることができるから、開蓋位置では、蓋体全体を化粧パネルによる意匠面より内側に仕舞い込んで、フラットサーフェース化し、閉蓋途中位置では、蓋体が前記化粧パネルより突出露呈することにより、その突出露呈部をもって蓋体の閉じ操作を行うことできる。これにより、見栄えがよく、意匠性と操作性の双方を優れたものとすることができる。
【００１３】
また、蓋体の閉蓋位置より開蓋位置への開き動作は、第一のラッチ装置のラッチ解除だけで、蓋開きばね手段のばね力により自動的に行われ、蓋体の開蓋位置より閉蓋途中位置への移動は、第二のラッチ装置のラッチ解除だけで、ホップアップ動作ばね手段のばね力により自動的に行われ、使用者は、閉蓋途中位置より閉蓋位置へ蓋体を動かすだけでよく、使い勝手がよく、安全性に優れ、しかも、趣向性に富んだものになる。
【発明を実施するための最良の形態】
【００１４】
本発明による蓋体開閉装置は、例えば、図１に示されているように、乗用車のセンタコンソール１００に埋設された蓋付きカップホルダの蓋体（リッド）１０の開閉装置として用いられる。
【００１５】
図２〜図９は、本発明による蓋体開閉装置の実施形態１を示している。これらの図において、符号２０は、カップホルダの容器本体を示している。容器本体２０は、上部開口２１を有する箱状のものであり、センタコンソール１００内に埋め込み装着される。
【００１６】
容器本体２０の上方には、センタコンソール１００の上面をなす化粧パネル１０１が配置されている。化粧パネル１０１には、容器本体２０の上部開口２１の上側にあって閉蓋位置にある蓋体１０が整合配置される矩形の貫通開口１０２が形成されている。蓋体１０は、化粧パネル１０１の貫通開口１０２より少し小さい矩形の板状のものであり、容器本体２０の上部開口２１の開閉に伴って化粧パネル１０１の貫通開口１０２を開閉する。
【００１７】
蓋体１０は、回動型のものであり、左右両側にアーム部１１を一体に有する。蓋体１０は、アーム部１１に形成された孔１２をもって容器本体２０の左右両側壁２２に突出形成されたピン軸２３に回転自在に嵌合し、ピン軸２３の中心軸線である水平軸線周りに回転可能に取り付けられている。蓋体１０は、図２、図５に示されているように、容器本体２０の上方位置での水平姿勢で、化粧パネル１０１の貫通開口１０２に整合し、容器本体２０の上部開口２１を閉じる閉蓋位置と、図３、図７に示されているように、上述の閉蓋位置よりピン軸２３の中心軸線周りに反時計廻り方向に略９０度回動変位し、容器本体２０の後側位置（図にて左側）での垂直姿勢による開蓋位置との間に回動可能になっている。
【００１８】
容器本体２０の上面２４のうち、後壁側（図にて左側）の上面（傾斜上面）２４Ａは、蓋体１０の上述の開閉移動に干渉しないよう傾斜した円弧になっている。容器本体２０の上面２４のうち、傾斜上面２４Ａ以外の上面は水平上面２４Ｂになっている。
【００１９】
なお、本実施形態では、容器本体２０は、二本の飲料缶、ペットボトル等を転倒することなく収納するよう、収納部２５の形状が、ツインの円筒ボア形状（図３、図６参照）になっている。
【００２０】
ピン軸２３部分には捩りばねによる蓋開きばね２４が取り付けられている。蓋開きばね２４は、容器本体２０と蓋体１０とに係合し、蓋体１０を、反時計廻り方向、つまり、開蓋方向に付勢している。
【００２１】
容器本体２０と蓋体１０には第一のラッチ装置４１が取り付けられている。第一のラッチ装置４１は、蓋体１０を蓋開きばね２４のばね力に抗して閉蓋位置に解除可能に係止する。
【００２２】
第一のラッチ装置４１は、プッシュロック・プッシュオープン動作する公知のクランプ爪方式のオルタネイト式ラッチ機構で、容器本体２０の側壁２２に取り付けれたラッチ本体４１Ａと、蓋体１０のアーム部１１に設けられたラッチ爪４１Ｂとにより構成されている。第一のラッチ装置４１は、蓋体１０の時計廻り方向の回動によってラッチ爪４１Ｂがラッチ本体４１Ａを押すたびに、プッシュ操作され、係止と係止解除を交互に繰り返す。
【００２３】
蓋体１０には、垂直姿勢（開蓋位置）で、上縁となる部分の裏面側に、当該姿勢状態の蓋体１０を指先で押す（押し下げる）ための厚肉の押し部１３が形成されている。
【００２４】
この押し部１３を利用して蓋体１０の裏面には枢軸１４によって上面補完フラッパ１５が回動可能に取り付けられている。上面補完フラッパ１５は、図示省略の捩りばねによって時計廻り方向に付勢され、蓋体１０が図３、図７に示されている開蓋位置にある時に、傾斜上面２４Ａの上方位置において略水平姿勢になって容器本体２０の水平上面２４Ｂに連続する水平上面を呈する。
【００２５】
つまり、上面補完フラッパ１５は、蓋体１０が開蓋位置にある時に、傾斜上面２４Ａの上方位置にあって、当該部分の水平上面を補完する。なお、上面補完フラッパ１５の先端縁１５Ａは、略水平姿勢において、収納部２５の傾斜上面２４Ａの側のツイン円筒ボア形状を補完する円弧形状になっている。
【００２６】
上面補完フラッパ１５は、蓋体１０の閉蓋方向の移動過程において、容器本体２０の上面部分に形成されている突出カム部１６に当接することにより上述の略図水平姿勢より反転し、図２、図５に示されているように、蓋体１０の裏面に重なるように収納される。
【００２７】
筐体２０には、蓋体１０の回転軸線と平行な中心軸線（水平軸線）周りに、ヨーク形状のホップアップ動作部材３０が回動可能に取り付けられている。つまり、容器本体２０の左右両側壁２２にピン軸２３と平行にもう一組のピン軸２６が突出形成されており、このピン軸２６にホップアップ動作部材３０の左右両脚部３１の先端に形成された孔３２が回転自在に嵌合している。ここに、ホップアップ動作部材３０は蓋体１０の開閉方向に同じ方向に回動する。
【００２８】
ピン軸２３部分には捩りばねによるホップアップ動作ばね３３が取り付けられている。ホップアップ動作ばね３３は、容器本体２０とホップアップ動作部材３０とに係合し、ホップアップ動作部材３０の蓋体１０の閉蓋方向と同じ方向、つまり、時計廻り方向に付勢している。
【００２９】
容器本体２０とホップアップ動作部材３０には第二のラッチ装置４２が取り付けられている。第二のラッチ装置４２は、ホップアップ動作部材３０をホップアップ動作ばね３３のばね力に抗して、図２、図５、図７に示されているような所定のホーム位置に解除可能に係止する。
【００３０】
第二のラッチ装置４２は、プッシュロック・プッシュオープン動作する公知のクランプ爪方式のオルタネイト式ラッチ機構で、容器本体２０の後壁２７に取り付けれたラッチ本体４２Ａと、ホップアップ動作部材３０のブリッチ部３４に設けられたラッチ爪４２Ｂとにより構成されている。第二のラッチ装置４２は、ホップアップ動作部材３０の反時計廻り方向の回動によってラッチ爪４２Ｂがラッチ本体４２Ａを押すたびに、プッシュ操作され、係止と係止解除を交互に繰り返す。
【００３１】
ホップアップ動作部材３０は、図７に示されているように、ホーム位置において、開蓋位置にある蓋体１０の裏面に形成された係合突部１７と係合し、第二のラッチ装置４２の係止解除によって、図９に示されているように、ホップアップ動作ばね３３のばね力により、蓋体１０の閉蓋方向と同じ方向（時計廻り方向方向）に回動して蓋体１０を閉蓋途中位置まで移動させる。
【００３２】
このホップアップ動作ばね３３のばね力によるホップアップ動作部材３０の時計廻り方向方向の回動は、蓋体１０のアーム部１１に開口形成されたカム開口１８に係合しているホップアップ動作部材３０に固定の係合ピン３５がカム開口１８の隅角部１８Ａに係合することにより止まる。これにより、蓋体１０の閉蓋途中位置が決まる。
【００３３】
カム開口１８は、蓋体１０の閉蓋途中位置より閉蓋位置への移動過程において、蓋体１０の時計廻り方向の回動によって、係合ピン３５との係合のもとに、ホップアップ動作部材３０をホップアップ動作ばね３３のばね力に抗してホーム位置に戻す戻しカム形状部１８Ｂを有する。
【００３４】
つぎに、実施形態１による蓋体１０の開閉動作について説明する。
【００３５】
蓋体１０は、図２、図４に示されているように、略水平姿勢をもって化粧パネル１０１の貫通開口１０２に整合してフラットサーフェース状態で、これを閉じ、併せて容器本体２１の上部開口２１を塞ぐ閉蓋位置に位置する。
【００３６】
閉蓋位置にある蓋体１０の部分１０Ａを指先で軽く押すと、蓋体１０が蓋開きばね２４のばね力に抗して少し時計廻り方向に回動し、第一のラッチ装置４１による蓋体１０の係止が解除される。そして、蓋体１０より指先を離すと、蓋開きばね２４のばね力によって蓋体１０がピン軸２３の中心軸線周りに反時計廻り方向に回動する。
【００３７】
この回動は、蓋開きばね２４のばね力によって、図３、図７に示されているように、閉蓋位置より反時計廻り方向に略９０度回動変位し、容器本体２０の後側位置（図にて左側）にて蓋体１０が垂直姿勢で開蓋位置に位置するまで行われる。この状態では、ホーム位置にあるホップアップ動作部材３０に蓋体１０の係合突部１７が当接する。
【００３８】
蓋体１０は、この開蓋位置では、全体を化粧パネル１０１より下方に収納される。そして、上面補完フラッパ１５が、傾斜上面２４Ａの上方位置において略水平姿勢になって容器本体２０の水平上面２４Ｂに連続する水平上面を呈する。
【００３９】
これにより、開蓋位置において蓋体１０が化粧パネル１０１より上方に突出することがないから、収納部２５に対する飲料缶等の出し入れ性がよくなり、フラットサーフェース状態で、意匠性が向上する。
【００４０】
さらに、略水平姿勢の上面補完フラッパ１５が容器本体２０の水平上面２４Ｂに連続する水平上面をするので、見栄えがよくなり、収納部２５における飲料缶のホールド性も向上する。また、上面補完フラッパ１５によって缶径許容に置き換えることもできる。
【００４１】
蓋体１０を開蓋位置より閉蓋位置に戻す際には、まず、指先によって蓋体１０の押し部１３を下方に少し押し込む。すると、その動きが、ホップアップ動作部材３０に伝えられ、ホップアップ動作部材３０が少し反時計廻り方向に回動することにより、第二のラッチ装置４２によるホップアップ動作部材３０の係止が解除される。
【００４２】
これにより、図９に示されているように、ホップアップ動作部材３０がピン軸２６の中心軸線周りに時計廻り方向に回動し、これに伴い蓋体１０がピン軸２６の中心軸線周りに時計廻り方向に回動する。この回動は、係合ピン３５がカム開口１８の隅角部１８Ａに係合して行われ、蓋体１０の部分１０Ａ側が化粧パネル１０１より上方にホップアップした閉蓋途中位置に位置する。
【００４３】
このホップアップ動作により、蓋体１０の部分１０Ａ側が化粧パネル１０１より上方に突出露呈することにより、その突出露呈部をもって蓋体１０の閉じ操作を行うことできる。この閉じ操作は、閉蓋途中位置にある蓋体１０の部分１０Ａ側を指先で押し、蓋体１０を蓋開きばね３３のばね力に抗して時計廻り方向に回動させ、蓋体１０を元の閉蓋位置に戻す。
【００４４】
これにより、図２、図５に示されているように、第一のラッチ装置４１が蓋体１０を閉蓋位置に係止する。この蓋体１０の閉蓋途中位置より閉蓋位置への移動過程において、ホップアップ動作部材３０がカム形状部１８Ｂと係合ピン３５との係合によってホップアップ動作ばね３３のばね力に抗してホーム位置に戻り、ホップアップ動作部材３０が第二のラッチ装置４２によってホーム位置に係止される。
【００４５】
これらのことにより、蓋体１０の閉開装置が、見栄えがよく、意匠性と操作性の双方に優れたものになる。
【００４６】
また、蓋体１０の閉蓋位置より開蓋位置への開き動作は、第一のラッチ装置４１のラッチ解除だけで、蓋開きばね２４のばね力により自動的に行われ、蓋体１０の開蓋位置より閉蓋途中位置への移動は、第二のラッチ装置４２のラッチ解除だけで、ホップアップ動作ばね３３のばね力により自動的に行われ、使用者は、閉蓋途中位置より閉蓋位置へ蓋体１０を動かすだけでよいから、使い勝手がよく、しかも、趣向性に富んだものになる。
【００４７】
また、蓋体１０を閉蓋位置に戻すことは、使用者の手操作により行われるから、釦操作だけで、ばね力によって閉蓋される場合に比して、閉蓋時に、指を詰める虞れが減り、安全性が向上する。
【００４８】
蓋体１０の開閉の動きは、ロータリダンパ等を用いて蓋体１０の回動速度に制限を与えることにより、低速度で、ゆっくり重厚感をもって行われるようにすることができる。
【００４９】
図１０〜図２０は、本発明による蓋体開閉装置の実施形態２を示している。
【００５０】
ケース組立体５０と、ケース組立体５０に固定された容器本体６０と、蓋体７０と、左右一対のホップアップアーム８０を有する。
【００５１】
ケース組立体５０には、化粧パネルである上板５１が取り付けられている。上板５１には閉蓋位置にある蓋体７０が整合する矩形の貫通開口５２が形成されている。
【００５２】
容器本体６０は、底部６１と左右両側壁６２と前壁６３とを有し、上部と後部とが開口した略箱形状のものである。
【００５３】
蓋体７０は、回動型のものであり、左右両側にアーム部７１を一体に有する。蓋体７０は、アーム部７１に形成された孔７２をもって容器本体６０の左右両側壁６２に突出形成されたピン軸６４に回転自在に嵌合し、ピン軸６４の中心軸線である水平軸線周りに回転可能に取り付けられている。
【００５４】
蓋体７０は、図１０、図１２、図１５、図１６に示されているように、容器本体６０の上部位置での水平姿勢で、上板５１の貫通開口５２に整合し、容器本体６０の上部開口６５を閉じる閉蓋位置と、図１１、図１７、図１８に示されているように、上述の閉蓋位置よりピン軸６４の中心軸線周りに反時計廻り方向に略９０度回動変位し、容器本体６０の後側位置（図にて左側）での垂直姿勢による開蓋位置との間に回動可能になっている。
【００５５】
蓋体７０は、垂直姿勢による開蓋位置において、容器本体６０の後壁を補完する。これにより、容器本体６０は、蓋体７０と共働して、二本の飲料缶、ペットボトル等を転倒することなく収納するよう、ツイン円筒ボア形状の収納部６６を構成する。
【００５６】
ピン軸６４部分には捩りばねによる蓋開きばね６７が取り付けられている。蓋開きばね６７は、容器本体６０と蓋体７０とに係合し、蓋体７０を、反時計廻り方向、つまり、開蓋方向に付勢している。
【００５７】
容器本体６０と蓋体７０には第一のラッチ装置９１が取り付けられている。第一のラッチ装置９１は、蓋体７０を蓋開きばね６７のばね力に抗して閉蓋位置に解除可能に係止する。
【００５８】
第一のラッチ装置９１は、プッシュロック・プッシュオープン動作する公知のハートカム方式のオルタネイト式ラッチ機構で、容器本体６０の側壁６２に形成されたハートカム部９１Ａと、蓋体７０のアーム部７１に設けられたピンホルダ９１Ｂとにより構成されている。第一のラッチ装置９１は、蓋体７０の時計廻り方向の回動によってピンホルダ９１Ｂがハートカム部９１Ａに係合するたびに、プッシュ操作され、係止と係止解除を交互に繰り返す。
【００５９】
ケース組立体５０の左右両側部には、蓋体７０の回転軸線と平行な中心軸線（水平軸線）周りに、ホップアップアーム８０が回動可能に取り付けられている。つまり、容器本体６０と一体のケース組立体５０の左右両側部にピン軸６４と平行に軸孔５３が形成されており、この軸孔５３にホップアップアーム８０に形成されたピン軸８１が回転自在に嵌合している。ここに、ホップアップアーム８０は蓋体７０の開閉方向に同じ方向に回動する。
【００６０】
ピン軸８１部分には捩りばねによるホップアップ動作ばね８２が取り付けられている。ホップアップ動作ばね８２は、容器本体２０とホップアップアーム８０とに係合し、蓋体１０の閉蓋方向と同じ方向、つまり、時計廻り方向に付勢している。
【００６１】
ケース組立体５０とホップアップアーム８０には第二のラッチ装置９２が取り付けられている。第二のラッチ装置９２は、ホップアップアーム８０をホップアップ動作ばね８２のばね力に抗して、図１５〜図１８に示されているような所定のホーム位置に解除可能に係止する。
【００６２】
第二のラッチ装置９２は、プッシュロック・プッシュオープン動作する公知のハートカム方式のオルタネイト式ラッチ機構で、ホップアップアーム８０に形成されたハートカム部９２Ａと、枢軸９３によってケース組立体５０に揺動可能に取り付けられたピンアーム９２Ｂとにより構成されている。第二のラッチ装置９２は、ホップアップアーム８０の反時計廻り方向の回動によってハートカム部９２Ａとピンアーム９２Ｂとが係合するたびに、プッシュ操作され、係止と係止解除を交互に繰り返す。
【００６３】
ホップアップアーム８０は、ホーム位置において、ピン８３によって開蓋位置にある蓋体７０のリブ部７３と係合し、第二のラッチ装置９２の係止解除によって、ホップアップ動作ばね８２のばね力により、蓋体７０の閉蓋方向と同じ方向（時計廻り方向）に回動して蓋体７０を閉蓋途中位置まで移動させる。
【００６４】
このホップアップ動作ばね８２のばね力によるホップアップアーム８０の時計廻り方向方向の回動は、ホップアップアーム８０のリブ部８４が蓋体７０のアーム部７１に設けられたピン７４に当接するまで行われる。蓋体７０の閉蓋途中位置が決まる。
【００６５】
つぎに、本実施形態による蓋体７０の開閉動作について説明する。
【００６６】
蓋体７０は、図１０、図１５、図１６に示されているように、略水平姿勢をもって上板５１の貫通開口５２に整合してフラットサーフェース状態で、これを閉じ、併せて容器本体６３の上部開６５を塞ぐ閉蓋位置に位置する。
【００６７】
閉蓋位置にある蓋体７０の部分７０Ａを指先で軽く押すと、蓋体７０が蓋開きばね６７のばね力に抗して少し時計廻り方向に回動し、第一のラッチ装置９１による蓋体７０の係止が解除される。そして、蓋体７０より指先を離すと、蓋開きばね６７のばね力によって蓋体７０がピン軸６４の中心軸線周りに反時計廻り方向に回動する。
【００６８】
この回動は、蓋開きばね６７のばね力によって、図１１、図１７、図１８に示されているように、閉蓋位置より反時計廻り方向に略９０度回動変位し、容器本体６０の後側位置（図にて左側）にて蓋体７０が垂直姿勢で開蓋位置に位置するまで行われる。この状態では、蓋体７０は、全体を上板５１の下方に収納され、収納部６６の後壁をなす。また、ホーム位置にあるホップアップアーム８０のピン８３に蓋体７０のリブ部７３が当接する。
【００６９】
これにより、開蓋位置において蓋体７０が上板５１より上方に突出することがないから、収納部６６に対する飲料缶等の出し入れ性がよくなり、フラットサーフェース状態で、意匠性が向上する。
【００７０】
蓋体７０を開蓋位置より閉蓋位置に戻す際には、まず、指先によって蓋体７０の部分７０Ｂを下方に少し押し込む。すると、その動きが、ホップアップアーム８０に伝えられ、ホップアップアーム８０が少し反時計廻り方向に回動することにより、第二のラッチ装置９２によるホップアップアーム８０の係止が解除される。
【００７１】
これにより、図１９、図２０に示されているように、ホップアップアーム８０がピン軸８１の中心軸線周りに時計廻り方向に回動し、これに伴い蓋体７０がピン軸６４の中心軸線周りに時計廻り方向に回動する。この回動はホップアップアーム８０のリブ部８４が蓋部材７０のピン７４に当接するまで行われ、蓋体７０の部分７０Ａ側が上板５１より上方にホップアップした閉蓋途中位置に位置する。
【００７２】
このホップアップ動作により、蓋体７０の部分７０Ａ側が上板５１より上方に突出露呈することにより、その突出露呈部をもって蓋体７０の閉じ操作を行うことできる。この閉じ操作は、閉蓋途中位置にある蓋体７０の部分７０Ａ側を指先で押し、蓋体７０を蓋開きばね６７のばね力に抗して時計廻り方向に回動させ、蓋体７０を元の閉蓋位置に戻す。
【００７３】
これにより、図１０、図１５、図１６に示されているように、第一のラッチ装置９１が蓋体７０を閉蓋位置に係止する。この蓋体７０の閉蓋途中位置より閉蓋位置への移動過程において、ホップアップアーム８０がピン７４とリブ部８４との係合によってホップアップ動作ばね８２のばね力に抗してホーム位置に戻り、ホップアップアーム８０が第二のラッチ装置９２によってホーム位置に係止される。
【００７４】
これらのことにより、蓋体７０の閉開装置が、見栄えがよく、意匠性と操作性の双方に優れたものになる。
【００７５】
また、蓋体７０の閉蓋位置より開蓋位置への開き動作は、第一のラッチ装置８１のラッチ解除だけで、蓋開きばね６７のばね力により自動的に行われ、蓋体７０の開蓋位置より閉蓋途中位置への移動は、第二のラッチ装置９２のラッチ解除だけで、ホップアップ動作ばね８２のばね力により自動的に行われ、使用者は、閉蓋途中位置より閉蓋位置へ蓋体７０を動かすだけでよいから、使い勝手がよく、しかも、趣向性に富んだものになる。
【００７６】
また、蓋体７０を閉蓋位置に戻すことは、使用者の手操作により行われるから、釦操作だけで、ばね力によって閉蓋される場合に比して、閉蓋時に、指を詰める虞れが減り、安全性が向上する。
【００７７】
また、容器６０に形成されたセクタギア６８やホップアップアーム８０に形成されたセクタギア８５に、ロータリダンパのピニオン（図示省略）を噛合させることにより、蓋体７０の回動速度に制限を与え、蓋体７０の回動が低速度で、ゆっくり重厚感をもって行われるようにすることができる。
【図面の簡単な説明】
【００７８】
【図１】本発明による蓋体開閉装置の適用例を示す斜視図である。
【図２】本発明による蓋体開閉装置の実施形態１の閉蓋状態を示す斜視図である。
【図３】本発明による蓋体開閉装置の実施形態１の開蓋状態を示す斜視図である。
【図４】本発明による蓋体開閉装置の実施形態１の閉蓋状態を示す平面図である。
【図５】本発明による蓋体開閉装置の実施形態１の閉蓋状態を示す側面図である。
【図６】本発明による蓋体開閉装置の実施形態１の開蓋状態を示す平面図である。＊
【図７】本発明による蓋体開閉装置の実施形態１の開蓋状態を示す側面図である。
【図８】本発明による蓋体開閉装置の実施形態１のホップアップ状態を示す平面図である。
【図９】本発明による蓋体開閉装置の実施形態１のホップアップ状態を示す側面図である。
【図１０】本発明による蓋体開閉装置の実施形態２の閉蓋状態を示す斜視図である。
【図１１】本発明による蓋体開閉装置の実施形態２の開蓋状態を示す斜視図である。
【図１２】本発明による蓋体開閉装置の実施形態２の分解斜視図である。
【図１３】本発明による蓋体開閉装置の実施形態２の蓋体と容器本体との分解斜視図である。
【図１４】本発明による蓋体開閉装置の実施形態２の容器本体の斜視図である。
【図１５】本発明による蓋体開閉装置の実施形態２の閉蓋状態を示す要部の斜視図である。
【図１６】本発明による蓋体開閉装置の実施形態２の閉蓋状態を示す要部の側面図である。
【図１７】本発明による蓋体開閉装置の実施形態２の開蓋状態を示す要部の斜視図である。
【図１８】本発明による蓋体開閉装置の実施形態２の開蓋状態を示す要部の側面図である。
【図１９】本発明による蓋体開閉装置の実施形態２のホップアップ状態を示す斜視図である。
【図２０】本発明による蓋体開閉装置の実施形態２のホップアップ状態を示す要部の側面図である。
【符号の説明】
【００７９】
１０  蓋体
１１  アーム部
１２  孔
１３  押し部
１４  枢軸
１５  上面補完フラッパ
１６  突出カム部
１７  係合突部
１８  カム開口
２０  容器本体
２１  上部開口
２２  側壁
２３  ピン軸
２４  蓋開きばね
２５  収納部
２６  ピン軸
２７  後壁
３０  ホップアップ動作部材
３１  脚部
３２  孔
３３  ホップアップ動作ばね
３４  ブリッチ部
４１  第一のラッチ装置
４２  第二のラッチ装置
５０  ケース組立体５０
５１  上板
５２  貫通開口
５３  軸孔
６０  容器本体
６１  底部
６２  側壁
６３  前壁
６４  ピン軸
６５  上部開口
６６  収納部
６７  蓋開きばね
６８  セクタギア
７０  蓋体
７１  アーム部
７２  孔
７３  リブ部
７４  ピン
８０  ホップアップアーム
８１  ピン軸
８２  ホップアップ動作ばね
８３  ピン
８４  リブ部
８５  セクタギア
９１  第一のラッチ装置
９２  第二のラッチ装置
１００  センタコンソール
１０１  化粧パネル
１０２  貫通開口
【図１】
2008254582.tif 000003
【図２】
2008254582.tif 000004
【図３】
2008254582.tif 000005
【図４】
2008254582.tif 000006
【図５】
2008254582.tif 000007
【図６】
2008254582.tif 000008
【図７】
2008254582.tif 000009
【図８】
2008254582.tif 000010
【図９】
2008254582.tif 000011
【図１０】
2008254582.tif 000012
【図１１】
2008254582.tif 000013
【図１２】
2008254582.tif 000014
【図１３】
2008254582.tif 000015
【図１４】
2008254582.tif 000016
【図１５】
2008254582.tif 000017
【図１６】
2008254582.tif 000018
【図１７】
2008254582.tif 000019
【図１８】
2008254582.tif 000020
【図１９】
2008254582.tif 000021
【図２０】
2008254582.tif 000022
【手続補正書】
【提出日】平成19年5月28日(2007.5.28)
【手続補正１】
【補正対象書類名】特許請求の範囲
【補正対象項目名】全文
【補正方法】変更
【補正の内容】
【特許請求の範囲】
【請求項１】
一つの中心軸線周りの回転により閉蓋位置と開蓋位置を取る回動型の蓋体の開閉装置であって、
前記蓋体を開蓋方向に付勢する蓋開きばね手段と、
前記蓋体を前記蓋開きばね手段のばね力に抗して閉蓋位置に解除可能に係止する第一のラッチ装置と、
前記蓋体の回転軸線と平行な中心軸線周りに回動可能に取り付けられたホップアップ動作部材と、
前記ホップアップ動作部材を前記蓋体の閉蓋方向と同じ方向に付勢するホップアップ動作ばね手段と、
前記ホップアップ動作部材を前記ホップアップ動作ばね手段のばね力に抗して所定のホーム位置に解除可能に係止する第二のラッチ装置とを有し、
前記ホップアップ動作部材は、前記開蓋位置にある前記蓋体と係合して前記第二のラッチ装置の係止解除によって前記ホップアップ動作ばね手段のばね力によって前記蓋体の閉蓋方向と同じ方向に回動して前記蓋体を閉蓋途中位置まで移動させることを特徴とする蓋体開閉装置。
【請求項２】
前記第一のラッチ装置と前記第二のラッチ装置は、各々、プッシュロック・プッシュオープン動作のオルタネイト式ラッチ機構により構成されており、前記蓋体が押されることによりプッシュ操作されることを特徴とする請求項１記載の蓋体開閉装置。
【請求項３】
前記蓋体は、左右両側にアーム部を一体に有し、前記アーム部をもって、上部開口の箱状の容器本体の左右両側壁に水平軸線周りに回転可能に取り付けられ、前記容器本体の上方位置での水平姿勢で前記容器本体の前記上部開口を閉じる閉蓋位置と、当該閉蓋位置より略９０度回動変位して前記容器の後側位置での垂直姿勢による開蓋位置との間に回動可能であり、
前記容器本体の後壁側の上面が前記蓋体の開閉移動に干渉しないよう傾斜しており、前記容器本体の上面はこの部分を除いて略水平面になっており、
前記蓋体には上面補完フラッパが回動可能に取り付けられており、前記上面補完フラッパは、前記蓋体が前記開蓋位置にある時に、略水平姿勢になって前記容器本体の略水平な上面に連続する水平上面を呈するよう構成されていることを特徴とする請求項１または２に記載の蓋体開閉装置。
【請求項４】
前記蓋体は、左右両側にアーム部を一体に有し、前記アーム部をもって、底部と左右両側壁と前壁とを有する上部開口の容器本体の前記左右両側壁に水平軸線周りに回転可能に取り付けられ、前記容器本体の上方位置での水平姿勢で前記容器本体の上部開口を閉じる閉蓋位置と、当該閉蓋位置より略９０度回動変位して前記容器本体の後側位置での垂直姿勢による開蓋位置との間に回動可能であり、開蓋位置において前記容器本体の後壁を補完することを特徴とする請求項１または２に記載の蓋体開閉装置。
【請求項５】
閉蓋位置と開蓋位置を取る蓋体の開閉装置であって、
開蓋位置では前記蓋体の全体を意匠面より突出させない位置とし、前記開蓋位置から操作することにより、前記蓋体が前記意匠面より突出する閉蓋途中位置となり、前記閉蓋途中位置から、当該蓋体の前記意匠面よりの突出部を操作して閉蓋位置にすることができるよう構成されていることを特徴とする蓋体開閉装置。
【手続補正２】
【補正対象書類名】明細書
【補正対象項目名】０００８
【補正方法】変更
【補正の内容】
【０００８】
この発明による蓋体開閉装置は、一つの軸線周りの回転により閉蓋位置と開蓋位置を取る回動型の蓋体の開閉装置であって、一つの中心軸線周りの回転により閉蓋位置と開蓋位置を取る回動型の蓋体の開閉装置であって、前記蓋体を開蓋方向に付勢する蓋開きばね手段と、前記蓋体を前記蓋開きばね手段のばね力に抗して閉蓋位置に解除可能に係止する第一のラッチ装置と、前記蓋体の回転軸線と平行な中心軸線周りに回動可能に取り付けられたホップアップ動作部材と、前記ホップアップ動作部材を前記蓋体の閉蓋方向と同じ方向に付勢するホップアップ動作ばね手段と、前記ホップアップ動作部材を前記ホップアップ動作ばね手段のばね力に抗して所定のホーム位置に解除可能に係止する第二のラッチ装置とを有し、前記ホップアップ動作部材は、前記開蓋位置にある前記蓋体と係合して前記第二のラッチ装置の係止解除によって前記ホップアップ動作ばね手段のばね力によって前記蓋体の閉蓋方向と同じ方向に回動して前記蓋体を閉蓋途中位置まで移動させることを特徴としている。